(57)【特許請求の範囲】
【請求項１】
容器に関する情報を表示し、該容器をサポートから吊り下げるためのラベルを形成するための方法であって、
ａ）上面、下面およびその下面を被覆するベース接着剤を有するベースウェブを用意するステップと、
ｂ）前記ベースウェブの前記上面に剥離ワニス剤を選択的に塗布するステップと、
ｃ）下面と該下面の一部を被覆している粘着ストリップとを有している上ウェブであって、該粘着ストリップが前記ベースウェブの前記上面上のワニスに接するように該上ウェブを前記ベースウェブに密着させるステップと、
ｄ）その中にハンガーを形成するために前記ベースウェブに達するまで前記上ウェブを断裁するするステップと、
ｅ）その中にベースラベルを形成するために前記ベースウェブを切り抜くステップと、
ｆ）さらに前記上ウェブを断裁する工程の後に上ウェブ廃材を取り除く工程を含み、前記ハンガーを形成するために前記上ウェブを断裁する前記工程が間隔をあけた少なくとも２本の脚を有するハンガーを形成することを含んでおり、さらに前記上ウェブ廃材を取り除く前記工程が前記上ウェブの一部を形成している前記ハンガーの前記脚の間に形成された内側廃材部分を取り除くことを含み、前記上ウェブを断裁する前記工程がさらに前記上ウェブの一部を形成する連続的縦長ストリップ形成することを含んでおり、さらに間隙部が前記上ウェブの一部を形成していて前記脚の端部の間に形成されており、前記内側廃材部が該間隙部によって連続的ストリップに連結されており、さらに前記上ウェブ廃材を取り除く前記工程が前記ベースウェブから連続的ストリップを引き剥がし、それによって前記内側廃材部分が一緒に引き剥がされるステップと
を含んでいることを特徴とするハンガーラベルを形成する方法。
【請求項２】
さらに前記上ウェブを前記ベースウェブに密着させる前に前記粘着ストリップを該上ウェブへ適用する工程を含んでいる請求項１に記載のハンガーラベルを形成する方法。
【請求項３】
さらに前記ベースウェブを断裁する工程の後にベースウェブ廃材を取り除く工程を含んでいる請求項１に記載のハンガーラベルを形成する方法。
【請求項４】
さらに前記ベースウェブに印刷する工程を含んでいる請求項１に記載のハンガーラベルを形成する方法。
【請求項５】
容器に関する情報を表示し、該容器をサポートから吊り下げるためのラベルを形成するための方法であって、
ａ）上面、下面およびその下面を被覆するベース接着剤を有するベースウェブを用意するステップと、
ｂ）前記ベースウェブの前記上面および上ウェブの下面の一方に粘着パッチを選択的に適用するステップと、
ｃ）前記上ウェブの前記下面が前記ベースウェブの前記上面に接するように前記ベースウェブを前記上ウェブに密着させるステップと、
ｄ）その中にハンガーを形成するために前記ベースウェブに達するまで前記上ウェブを断裁するステップと、
ｅ）その中にベースラベルを形成するために前記ベースウェブを切り抜くステップと
を含んでいることを特徴とするハンガーラベルを形成する方法。
【請求項６】
さらに前記上ウェブを断裁する工程の後に上ウェブ廃材を取り除く工程を含み、前記ハンガーを形成するために前記上ウェブを断裁する前記工程が間隔をあけた少なくとも２本の脚を有するハンガーを形成することを含んでおり、さらに前記上ウェブ廃材を取り除く前記工程が前記上ウェブの一部を形成している前記ハンガーの前記脚の間に形成された内側廃材部分を取り除くことを含み、前記上ウェブを断裁する前記工程がさらに前記上ウェブの一部を形成する連続的縦長ストリップ形成することを含んでおり、さらに間隙部が前記上ウェブの一部を形成していて前記脚の端部の間に形成されており、前記内側廃材部が該間隙部によって連続的ストリップに連結されており、さらに前記上ウェブ廃材を取り除く前記工程が前記ベースウェブから連続的ストリップを引き剥がし、それによって前記内側廃材部分が一緒に引き剥がされることを含んでいる請求項５に記載のハンガーラベルを形成する方法。
【請求項７】
さらに前記粘着パッチを選択的に適用する前記工程が前記ベースウェブの上面に該粘着パッチをスクリーン印刷することを含んでいる請求項５に記載のハンガーラベルを形成する方法。
【請求項８】
さらに前記ベースウェブを断裁する工程の後にベースウェブ廃材を取り除く工程を含んでいる請求項５に記載のハンガーラベルを形成する方法。
【請求項９】
さらに前記ベースウェブに印刷する工程を含んでいる請求項５に記載のハンガーラベルを形成する方法。
【請求項１０】
容器に関する情報を表示し、該容器をサポートから吊り下げるためのラベルを形成するための方法であって、
ａ）上面、下面およびその下面を被覆するベース接着剤を有するベースウェブを用意するステップと、
ｂ）前記ベースウェブの前記上面に剥離ワニスを選択的に適用するステップと、
ｃ）下面を有する上ウェブを用意し、該上ウェブの前記下面上に第２接着剤層を配置するステップと、
ｄ）前記第２接着剤の一部に粘着低下剤を選択的に適用するステップと、
ｅ）前記上ウェブの該下面が前記ベースウェブの該上面に向き合うように前記ベースウェブと前記上ウェブを密着させ、それらの間に前記第２接着剤層を差し挟むステップと、
ｆ）その中にハンガーを形成するために前記上ウェブを前記ベースウェブまで断裁するステップと、
ｇ）その中にベースラベルを形成するために前記ベースウェブを切り抜くステップと、
ｈ）さらに前記上ウェブを断裁する工程の後に上ウェブ廃材を取り除く工程を含み、前記ハンガーを形成するために前記上ウェブを断裁する前記工程が間隔をあけた少なくとも２本の脚を有するハンガーを形成することを含んでおり、さらに前記上ウェブ廃材を取り除く前記工程が前記上ウェブの一部を形成して前記ハンガーの前記脚の間に形成されている内側廃材部を取り除くことを含み、前記上ウェブを断裁する前記工程がさらに前記上ウェブの一部を形成する連続的縦長ストリップ形成することを含んでおり、さらに間隙部が前記上ウェブの一部を形成していて前記脚の端部の間に形成されており、前記内側廃材部が前記間隙部によって連続的ストリップに連結されており、さらに前記上ウェブ廃材を取り除く前記工程が前記ベースウェブから前記連続的ストリップを引き剥がし、それによって前記内側廃材部分が一緒に引き剥がされるステップと
を含んでいることを特徴とするハンガーラベルを形成する方法。
【請求項１１】
さらに前記ベースウェブを断裁する工程の後にベースウェブ廃材を取り除く工程を含んでいる請求項１０に記載のハンガーラベルを形成する方法。
【請求項１２】
さらに前記ベースウェブに印刷する工程を含んでいる請求項１０に記載のハンガーラベルを形成する方法。
【発明の詳細な説明】
本願は、１９９５年９月２５日に出願された特許出願第０８／５３３，０８２号の一部継続出願である。
発明の分野
本発明は、商品に関する情報を識別および表示するためのラベルに、より詳細には関連商品または包装を吊り下げるための手段を提供するような性質のラベルに関する。
発明の背景
ある種の薬剤および医薬品を投与する際には、医薬品の瓶またはその他の包装をハンガーまたはサポートのようなものから吊り下げる必要がある。特に、静脈内に投与される液体は、典型的には液体の重力誘発性流動を生じさせるために長く延びたハンガーから吊り下げられる瓶に納められている。
この容器は簡便かつ確実に吊り下げられることが特に望ましい。これまではその中に容器を取り付けることのできる様々な個別の着脱式ハーネスが使用されてきたが、そうしたハーネスはハンガーにハーネスを取り付ける工程に加えて、容器をハーネス内に配置したり、容器の周囲にハーネスを固定する工程を必要とするので、相当に不便である。様々なその他の支持具が開発されてきたが、その場合には吊り下げループが多かれ少なかれ容器に永久的に固定されており、吊り下げループはハンガーを受け止める延長位置と吊り下げループが瓶に対して平らになる閉位置の間で折りたたみできるようになっている。典型的には、閉位置にある吊り下げループは瓶の端部に隣接しており、端部に配置されるとしばしば容器を不安定にする。これらのデザインは一般的にシュリンクラップされたプラスチックまたはフォイルから形成される。その結果として、それらは全体的包装に相当に大きな追加の費用および重量を付け加えることとなっている。
上記の吊り下げおよびラベル表示手段の１つの代替例としては、Ａｎｄｅｌらに付与された米国特許第５，１３５，１２５号において開示されている。Ａｎｄｅｌの引用文献は、その統合部分として点滴スタンドから点滴瓶を吊り下げるための吊り下げリングを形成している静脈内点滴瓶の内容物を識別するためのラベルを開示している。このラベルは少なくとも１つのフィルム層、印刷インク層、および接着剤層から作り上げられている。ハンドルは、少なくともラベルの１つのフィルム層に貫通している１組の打ち抜き線によってラベル内で限定されている。瓶のフィルム層とハンドルによって限定されたラベルの部分との間には、瓶とラベルの残りの部分からハンドルを引き剥がすことができるように剥離剤が塗布されている。しかし、そこで開示されているラベル設計には幾つかの欠点がある。剥離剤が使用されているので、一般「接着剤のロックアップ（adhesive lock up）」と呼ばれる現象を経験することがある。この場合には、ハンドル部分をラベルの残りの部分から引き剥がすのが困難になり、さらにその上ラベルの第２層またはラベルが貼付されている容器の破壊が引き起こされることがある。さらに、剥離剤を塗布する製造工程がラベルの形成に時間、複雑さおよび費用を追加する。ハンドルが連続したフィルム層内の切り目から形成されているので、ハンドルに負荷が加えられた場合は切り目が広がる傾向が生じる可能性がある。ハンドルが限定されているフィルム層がラベルの全面を被覆しているので、ラベルを引き剥がすためにハンドルの縁に接近することが相当に困難である。ハンドルが印刷される場所では、ハンドル層の上だがハンドルの外側に配置し、そして下層の上に配置して、ハンドルが持ち上げられていてもまたは下ろされていても見えることが意図されている表示が不明瞭になったり離れたりしないように、ハンドルに印刷を正しく適合させるために注意を払わなければならない。
従って、物品を吊り下げるための手段を提供でき、品物に関する情報を識別および表示するためのラベルに対する必要が存在する。さらに先行技術の欠点および欠陥を克服できるラベルの必要が存在する。さらにまた、便宜的かつ費用効果的に製造することのできるようなラベルの必要が存在する。かつまた、そうしたラベルを形成するための方法および装置が求められている。
発明の概要
本発明は、容器に関する情報を表示し、サポートからその容器を吊り下げるためのラベルに関する。該ラベルは縦方向の辺縁、上面および下面を有するベースラベルを含んでいる。ベース接着剤はラベルを容器に貼付させるために下面に配置されている。ハンガーは、それらの間で開口部を限定している少なくとも２本の相互連結した脚部を有し、各脚部が各々の端部を有するように備えられている。連結ストリップは、少なくとも１枚の粘着パッチによって縦方向の辺縁に沿ってベースラベルの上面に実質的に永久的に固定されている。脚の各端部は連結ストリップに固定されている。ハンガーは、ハンガーがベースウェブの上面に隣接している保管位置とハンガーが開口部を通してサポートを受け入れるためにベースラベルから折り広げられている吊り下げ位置との間で、端部の周囲で折りたたみ可能である。ベースラベルの上面の残りの部分は、ハンガーが保管位置にあるときに連結ストリップによってもハンガーによっても被覆されていない。
上記のようなラベルの１つの実施形態ではハンガーは下面を有しており、ハンガーが保管位置にあるときには、ハンガーの下面はベースラベルの上面に直接的に接している。別の実施形態では、ハンガーはハンガーが保管位置にあるときにベースラベルの上面に面している下面を有しており、ハンガーの下面にはハンガー接着剤が塗布されており、さらにハンガー接着剤には粘着低下剤が被覆されている。
好ましくは、連結ストリップはベースラベルにハンガーを接着させるための唯一の手段である。一部の実施形態では、剥離ワニス剤がベースラベルの上面の残りの部分の一部に配置されており、少なくとも部分的に少なくとも１枚の粘着パッチを取り囲んでいる。
ベースラベルの上面には表示を配置することができる。より詳細には、ハンガーが透明の材料から形成されていてハンガーが保管位置にあるときにそれによって少なくとも表示の一部をハンガーを通して見ることができれば、少なくとも表示の一部分はハンガーが保管位置にあるときにハンガーの下にあっていてよい。さらにその上、印刷可能な領域が表示をその上に印刷するために適合していれば、印刷可能な領域が残りの部分の一部を形成していてよい。
連結ストリップには複数の応力除去曲線を形成することができるが、各応力除去曲線は各端部の１つに隣接して配置される。好ましくは、ハンガーはそれから伸びているプルタブを含んでいる。さらに、ベースラベルは好ましくはそれから伸びていてハンガーが保管位置にあるときにプルタブの下になるベースタブを含んでおり、ベースタブはハンガーが保管位置にあるときにプルタブを越えて伸びている辺縁を含んでいる。あるいはまた、ベースタブはプルタブの下にあってプルタブと同一の広がりをもつ周囲をもっていてもよく、ベースタブはベースラベルから分離可能でタブ接着剤によってプルタブの少なくとも一部分に固定される。
連結ストリップは好ましくは複数の足部を含んでおり、足部はそれらの間に少なくとも１つの間隙を限定しており、間隙は２本の脚の間で限定された内側領域に隣接して配置されている。間隙には剥離ワニス剤が配置されてよい。
一部の実施形態では、脚の数は足部の数と等しい。別の実施形態では、少なくとも２本の脚が足部の共通部に固定される。ある実施形態では、ラベルは３本の脚を含んでおり、隣接する脚の間の距離は容器の規定周囲の約３分の１である。別の実施形態では、ラベルは４本の脚を含んでおり、第１組の脚は相互に結合されており、第２組の脚も相互に結合されており、第１組および第２組の脚は交差脚によって相互連結されている。
本発明はさらに、容器に関する情報を表示し、上面および下面を有するベースラベルを含んでいるサポートからその容器を吊り下げるためのラベルに関する。ラベルを容器に貼付するためにベース接着剤が下面に配置されている。ハンガーはベースラベルの上面に固定されている。ハンガーは、ハンガーがベースラベルの上面に隣接している保管位置とハンガーがその中に形成された開口部を通してサポートを受け入れるためにベースラベルから折り広げられている吊り下げ位置の間で折りたたみ可能である。少なくとも１つの取り外し可能な自己接着性の第２ラベルがベースラベルの一部を形成している。
上記のように少なくとも１つの自己接着性第２ラベルを含んでいるラベルの実施形態では、ベースラベルは上面と下面とを有する第１層を含んでおり、第２層は第１層の上面に付着させられている。ベース接着剤は第１層の下面に配置されている。第２ラベルは第２層の一部を形成しており、第２接着剤層によって第１層の上面に剥離可能に付着させられている。別の実施形態では、ベース接着剤の一部には部分的に粘着低下剤が塗布されており、そのベース接着剤の部分は第２ラベルの下になっている。また別の実施形態では、ベース接着剤の一部は粘着低下剤の層で実質的に完全に被覆されている。第２接着剤層は粘着低下剤の層の上に配置されている。そのベース接着剤の部分は第２ラベルの下になっている。
本発明はさらに、容器に関する情報を表示してサポートからその容器を吊り下げるためのラベルを形成するための方法に関する。本方法は、上面、下面およびその下面を被覆しているベース接着剤を有するベースウェブを提供することを含んでいる。剥離ワニス剤はベースウェブの上面に選択的に適用されている。下面および上ウェブの下面の一部分を被覆している接着剤ストリップを有している上ウェブは、接着剤ストリップがベースウェブの上面上のワニスと接するようにベースウェブに密着させられている。上ウェブはその中でハンガーを形成するようにベースウェブまで断裁されている。ベースウェブはその中にベースラベルを形成するように切り抜かれている。
本発明はさらに、上ウェブをベースウェブに密着させる前に上ウェブに接着ストリップを適用する工程を含んでいてもよい。上ウェブ廃材は上ウェブを断裁する工程に続いて取り除かれてもよい。特に、ハンガーを形成するために上ウェブを断裁する工程は少なくとも２本の間隔をあけた脚を有するハンガーを形成することを含んでいてよく、その場合には上ウェブ廃材を取り除く工程は上ウェブの一部を形成していてハンガーの脚の間で限定された内側廃棄部分を取り除くことを含んでいる。さらに、上ウェブを断裁する工程はさらに上ウェブの一部を形成する連続的縦長ストリップを形成することを含んでいてよく、間隙部分は上ウェブの一部を形成していて脚の端部の間で限定されている。内側廃材部分は間隙部分によって連続的ストリップに連結されている。この場合は、上ウェブ廃材を取り除く工程は連続的ストリップをベースウェブから引き剥がすことを含んでおり、それによって内側廃材部分は一緒に引き剥がされる。本方法はさらに、ベースウェブを断裁する工程の後にベースウェブ廃材を取り除く工程を含んでいてよい。同様に、ベースウェブ上に印刷する工程が実践されてよい。
本発明は上記のようなラベルを形成するための別の方法に関する。別の方法は、上面、下面およびその下面を被覆している接着剤を有しているベースウェブを提供することを含んでいる。粘着パッチはベースウェブの上面の１つおよび上ウェブの下面に選択的に適用される。ベースウェブは、上ウェブの下面がベースウェブの上面に接するように上面と密着させられる。上ウェブはその中でハンガーを形成するようにベースウェブまで断裁される。ベースウェブはその中にベースラベルを形成するように切り抜かれる。
粘着パッチを選択的に適用する工程は、ベースウェブの上面に粘着パッチをスクリーン印刷することを含んでいてよい。本方法はさらに、上ウェブを断裁する工程の後に上ウェブ廃材を取り除く工程を含んでいてよい。さらに、上ウェブ廃材を取り除く工程は第１に記載された方法と同様に実施されてよい。本方法は、第１方法に関して記載したと同様に、ベースウェブを断裁する工程および／またはベースウェブ上に印刷する工程に続いてベースウェブ廃材を取り除く工程を含んでいてよい。
本発明は、上記のようなラベルを形成するためのまた別の方法に関する。本方法は、上面、下面およびその下面を被覆しているベース接着剤を有するベースウェブを提供することを含んでいる。粘着パッチはベースウェブの上面および前成形されたハンガー／コネクターストリップ片の一部を形成する連結ストリップの少なくとも１つに適用されている。前成形されたストリップ片は、連結ストリップが粘着パッチによってベースウェブの上面に付着させられるようにベースウェブに適用されている。ベースウェブはその中にベースラベルを形成するように切り抜かれている。
本方法はさらにベースウェブを断裁する工程および／またはベースウェブ上に印刷する工程の後にベースウェブ廃材を取り除く工程を含んでいてよい。前成形されたハンガー／連結ストリップ片は自動適用装置を用いてベースウェブの上面に適用されてよい。あるいはまた、前成形されたハンガー／連結ストリップ片は手動でベースウェブの上面に適用されてもよい。粘着パッチはベースウェブの上面上にスクリーン印刷されてよい。各ハンガー／連結ストリップのための複数の粘着パッチがベースウェブの上面および連結ストリップの一部を形成している複数の足部の１つに適用されてよい。
本発明は、上記のようなラベルを形成するためのさらになお別の方法に関する。本方法は上面、下面およびその下面を被覆しているベース接着剤を有しているベースウェブを提供することを含んでいる。ベースウェブの上面には剥離ワニス剤が選択的に適用されている。上ウェブは、下面を有するように備えられており、上ウェブの下面には第２接着剤層が配置されている。第２接着剤の一部には粘着低下剤が選択的に適用されている。ベースウェブおよび上ウェブは、上ウェブの下面がベースウェブの上面と向き合うように密着させられており、それらの間に第２接着剤層が差し挟まれている。上ウェブはその中にハンガーを形成するようにベースウェブまで断裁されている。ベースウェブはその中にベースラベルを形成するように切り抜かれている。
本方法はさらに、上ウェブを断裁する工程の後に上ウェブ廃材を取り除く工程を含んでいてよい。さらに、上ウェブ廃材を取り除く工程は第１に記載された方法と同様に実施されてよい。同様に、本方法は、第１方法に関して記載されたように、ベースウェブを断裁する工程および／またはベースウェブ上に印刷する工程に続いてベースウェブ廃材を取り除く工程を含んでいてよい。
本発明の目的は、瓶のような包装内に含まれている商品に関する情報を識別および表示するためのラベルを提供することである。
本発明の目的は、関連商品または包装を吊り下げるための手段を含むそうしたラベルを提供することである。
本発明のもう１つの目的は、相当に大きな負荷を支持する上記のようなラベルを提供することである。
さらに、本発明の目的は便宜的かつ費用効果的に製造できる上記のようなラベルを提供することである。
本発明のさらになおもう１つの目的は上記のようなラベルを形成するための方法および装置を提供することである。
本発明の先のおよびそれ以上の目的は、下記の図面および好ましい実施形態の詳細な説明を読むことから当業者には理解されるであろうから、そうした説明は本発明の単に具体的な例に過ぎない。
【図面の簡単な説明】
図１は、剥離ライナー上に配置された本発明に従った吊り下げラベルの第１実施形態の斜視図である。
図２は、容器に貼付され、それのハンガーによってサポートから吊り下げられている第１実施形態に従ったラベルの斜視図である。
図３は、剥離ライナー上に配置された第２実施形態に従ったラベルの平面図である。
図４は、容器に貼付され、それのハンガーによってサポートから吊り下げられている第２実施形態に従ったラベルの斜視図である。
図５は、剥離ライナー上に配置された第３実施形態に従ったラベルの平面図である。
図６は、作動位置でそれのハンガーを用いて容器に貼付されている第３実施形態に従ったラベルの略平面図である。
図７は、剥離ライナー上の配置されている第４実施形態に従ったラベルの平面図である。
図８は、剥離ライナー上に配置されている本発明の第５実施形態に従ったラベルの平面図である。
図９は、第１方法に従って本発明のラベルを形成するための装置を示す略図である。
図１０は、代替法に従って本発明のラベルを形成するための装置の略図である。
図１１は、さらに別の代替法に従って本発明のラベルを形成するための装置の略図である。
図１２は、さらにまた別の代替法に従って本発明のラベルを形成するための装置の略図である。
図１３は、代替プルタブデザインが組み込まれているラベルの部分側面図である。
図１４は、代替プルタブデザインが組み込まれているラベルの部分平面図である。
図１５は、第６実施形態に従った取り外し可能な第２ラベルを含んでいるラベルの斜視図である。
図１６は、第６実施形態に従ったラベルを形成するための装置を示している部分略図である。
図１７は、第７実施形態に従った取り外し可能な第２ラベルを含んでいるラベルの斜視図である。
図１８は、第７実施形態に従ったラベルを形成するための装置を示している部分略図である。
図１９は、第８実施形態に従った取り外し可能な第２ラベルを含んでいるラベルの部分側面図である。
図２０は、第８実施形態に従ったラベルを形成するための装置の部分略図である。
好ましい実施形態の詳細な説明
図１および図２を参照すると、本発明の第１実施形態に従ったラベル１００がその中に示されている。図１から明らかなように、ラベル１００は接着剤１０４によって剥離ライナー１０２に剥離可能に固定されている。ラベル１００は、例えば自動アプリケーター装置を含む従来型手段によって、図２に示されているように剥離ライナー１０２から取り外して適切な容器７に適用することができる。接着剤１０４によって容器７にいったん貼付されると、ラベル１００は容器７およびその内容物に関する情報を表示するための表示１１８によって役立つであろう。さらに、ラベル１００の一部を形成しているハンガーは１３０はベース１１０と容器７から折り広げることができ、その結果として容器７を吊り下げるための適切なサポート５に引っかけることができる。
ラベル１００を詳細に見てみると、ベースラベル１１０はあらゆる適切なフィルムまたは紙製の支持体から形成されていてよい。さらに、ベースラベル１１０は自己接着性感圧ウェブから形成されてよいが、または代替として感圧材料が支持体の下面または剥離ライナーの上面に適用されて、その後に剥離ライナーおよび支持体が密着させられてもよい。ベースラベル１１０のために適した材料には、オハイオ州ペインビル（Paineville, Ohio）のファッソン（Fasson）社から入手可能な５０ポンド・ライナー付きＳ−３３３エマルジョン接着剤を用いた製品番号７２８２８の２ミル白色フィルム支持体が含まれる。商品名、注意書きおよびロット番号および使用期限などの適切な表示１１８はベースラベル１１０の上面に印刷される。好ましくは、ベースラベル１１０はさらに磨耗および化学薬品曝露による破壊に抵抗するためにその上面上に耐アルコール性ワニス剤の塗膜を有している。タブ１１６は、ベースラベル１１０の縁から伸びていてハンガー１３０のプルタブ１３６の下にあるように備えられている。注目すべきことに、ハンガーおよび足部はベースラベルの上面全体を被覆していないので、ラベルの使用者は別の表示を適用することができる。例えば、製品製造業者は「ロット番号：」および「使用期限：」の表示に隣接して適切なデータを印刷したいと考える可能性がある。これらの表示に隣接するベースラベルの上面は好ましくは印刷を容易にするための適切な材料から形成される、またはそうした材料で塗布されるが、そうした材料は技術分野においては周知である。
ベースラベル１１０の上面は、想像線Ａによって粘着区域１１２と非粘着区域１１４に分けられている。ベースラベル１１０の上面の内側領域１１７は、脚１３２Ａおよび１３２Ｂおよび上記の線Ａの間で限定されている。別のワニス層１２０は、足部１４０Ａ、１４０Ｂの下にある領域を除く粘着区域１１２全体のベースラベル１１０の上面に配置されている。ワニス剤１２０の場所、粘着区域１１２と非粘着区域１１４との間の境界、および足部１４０A、１４０Bの間に位置ずれがある範囲まで、ワニス剤１２０は好ましくはそれらの他の領域内に重複している。ワニス１２０は、ベースラベル１１０の上面から接着剤を取り除くことのできる剥離ワニス剤である。適切なワニス剤には、コネティカット（Connecticut）州のパラゴンインク（Paragon Ink）社から入手可能なパラゴンＬ０７５ワニスが含まれる。区域１１２および１１４およびワニス１２０の有意性については後に考察する。ワニス１２０はさらにまた、切り込み１４４の底部と線Ａの間で伸びている足部１４０Ａ、１４０Ｂの部分の下に存在していてもよい。もしその場合は、ハンガーが吊り下げ位置にある、従って接着剤が露出しているときに接着剤が取扱いを妨害しないようにこれらの部分では接着剤に粘着低下剤を適用することが望ましいかも知れない。
ハンガー１３０および足部１４０Ａ、１４０Ｂは好ましくはポリエステル支持体またはポリプロピレンフィルムから形成されている。より詳細には、ヒューストン（Houston）のファン・レア・フィルム（Van Leer Films）社から入手可能な４または５ミルのポリエステルフィルムまたは６ミルのバレロンフィルムが使用されてよい。ハンガー１３０は、各々端部１３４Ａおよび１３４Ｂで終了する脚１３２Ａおよび１３２Ｂを含んでいる。端部１３４Ａおよび１３４Ｂは統合されており、好ましくは各々足部１４０Ａおよび１４０Ｂと一緒に単一体として形成される。足部１４０Ａおよび１４０Ｂは粘着パッチ１４２Ａおよび１４２Ｂによってベースラベル１１０の上面に実質的に永久に付着させられている。粘着パッチ１４２Ａおよび１４２Ｂは境界線Ａまで伸びている。足部１４０Ａおよび１４０Ｂの間の間隙１１５にはワニス剤１２０が存在する。注目すべきことに、間隙１１５は内側領域１１７に隣接している。応力除去切り込み１４４は足部１４０Ａおよび１４０Ｂの各々に形成されている。フィルム材料が同様に切り込み１４４内に備えられていてよく、その場合には応力除去曲線は足部における切り目によって形成されるであろう。プルタブ１３６はハンガー１３０から上向きに伸びており、一緒に統合して形成されており、好ましくはハンガー１３０と単一体として形成されている。
ハンガー１３０は、プルタブ１３６をつかんでハンガー１３０をベースラベル１１０から持ち上げて引き離すことによって図１の保管位置から図２の吊り下げ位置に移行させられる。脚１３２Ａおよび１３２Ｂは、各々端部１３４Ａおよび１３４Ｂの周囲で折れ曲がる。脚の端部の間の距離は好ましくは、規定周囲の容器にラベルが貼付されたときに端部が相互に直径方向で正反対に配置されるように選択される。応力除去切り込み１４４は足部１４０Ａ、１４０Ｂの材料の引き裂きを防止するのに役立つ。
図３を参照すると、本発明の第２実施形態に従ったラベル２００がその中に示されている。剥離ライナー２０２上に配置されたラベル２００は、２つの点を除いて第１実施形態のラベル１００と実質的に同一である。第１に、ワニス１２０に相当するワニスがない。第２に、ラベル２００のハンガー２３０は３本脚設計である。より詳細には、ハンガー２３０は、各々端部２３４Ａ、２３４Ｂおよび２３４Ｃを有している脚２３２Ａ、２３２Ｂおよび２３２Ｃを含んでいる。端部２３４Ａ、２３４Ｂおよび２３４Ｃは各々足部２４０Ａ、２４０Ｂおよび２４０Ｃで終了している。足部２４０Ａ、２４０Ｂおよび２４０Ｃは粘着パッチ（図示されていない）によってベースラベル２１０の上面に実質的に永久的に付着させられている。好ましくは、粘着パッチはＢで示されている点線の近位で終了する。好ましくは、端部２３０Ａと端部２３０Ｂの間の距離（寸法Ｘと表記されている）および端部２３４Ｂと端部２３４Ｃの間の距離（寸法Ｙと表記されている）は同一である。さらに、寸法ＸとＹの合計は好ましくは、ラベル２００が適用される容器７の周囲の２／３に等しい。
図４を参照すると、ハンガー２３０が第１実施形態のハンガー１３０と同一方法で保管位置から吊り下げ位置に移行させられることが見て取れるであろう。３本脚設計はサポート５上でより容易にバランスが取れることが理解されるであろう。さらに、容器７の重量が２本ではなく３本の脚に渡って分散されるので、ラベル２００によってより大きな負荷が支持される可能性がある。同様に、サポート５が脚２３２Ａと２３２Ｂの間に配置されて脚２３２Ｂまたは脚２３２Ｃのどちらかが破損した場合、またはサポート５が脚２３２Ｂと２３２Ｃの間に配置されて脚２３２Ａまたは脚２３２Ｂのどちらかが破損した場合に、容器が落下することはなく、残りの２本の脚によって支持されるであろう。
図５を参照すると、剥離ライナー２５２上に配置されている第３実施形態に従ったラベル２５０がその中に示されている。ラベル２５０は３つの点を除いて第２実施態様のラベル２００と実質的に同一である。第１に、足部２７０Ａ、２７０Ｂおよび２７０Ｃがベースラベル２８０の下辺および側辺へ伸びている。第２に、ハンガー２６０がサポートを受け入れるためにそれらの間の開口部を限定している接続部２６８および２６９を含んでいる。第３に脚２６２Ａ、２６２Ｂおよび２６２Ｃの各々が各々足部２７０Ａ、２７０Ｂおよび２７０Ｃに形成された切れ目によって限定された部分を含んでいる。より詳細には、切れ目２６６Ａ、２６６Ｂおよび２６６Ｃは脚２６２Ａ、２６２Ｂおよび２６２Ｃの下部を形成している。脚２６２Ａ、２６２Ｂおよび２６２Ｃは端部２６４Ａ、２６４Ｂおよび２６４Ｃで終了する。好ましくは、接着剤（図示されていない）が点線Ｄによって示されている線の上方の上記の切れ目内で限定されている部分を除いて実質的に足部２７０Ａ、２７０Ｂおよび２７０Ｃ全体の下にある。
ハンガー２６０がベースラベル２８０から持ち上げられたときに足部において切れ目で限定されている脚の部分が同様にベースラベルから離れるであろうことは理解されるであろう。同様に、応力除去曲線２７２は足部の引き裂きを防止するのに役立つ。図６の略図は、規定周囲をもつ容器５上に取り付けられたときの脚２６２Ａ、２６２Ｂおよび２６２Ｃの好ましい位置を示している。
図７は、剥離ライナー２９２上に配置された第４実施形態に従ったラベル２９０を示しており、ラベル２９０はラベル２５０の変形である。ラベル２９０は、第１および第２実施形態と実質的に同様に形成され、第３実施形態と同様の形状にされた脚２９４Ａ、２９４Ｂおよび２９４Ｃを有しているハンガー２９４を含んでいる。足部２９６Ａ、２９６Ｂおよび２９６Ｃは、足部２９６Ｂが他の足部と比較してサイズが小さいこと以外は第１および第２実施形態と実質的に同様に形成されている。
次に図８を参照すると、剥離ライナー３０２上に配置されている第５実施形態に従ったラベル３００がその中に示されている。ラベル３００は、３つの点を除いて第２実施形態のラベル２００と実質的に同様である。第１に、足部３４０Ａおよび３４０Ｂがベースラベル３１０の下辺および側辺に伸びている。第２に、ハンガー３３０が４本の脚３３２Ａ、３３２Ｂ、３３２Ｃおよび３３２Ｄ並びに中央連結部３３６を含んでいる。第３に、２本の脚が足部３４０Ａおよび３４０Ｂの各々の内側で終了している。足部３４０Ａおよび３４０Ｂの各々の下にある粘着パッチ（図示されていない）は好ましくは点線Cによって示されているように端部３３４Ａ、３３４Ｂ、３３４Ｃおよび３３４Ｄの近位に位置する上辺を有している。
ハンガー３３０をハンガーフラップ１３０および２３０と同様の方法で、図８に示されているように保管位置から吊り下げ位置に移行させられることは理解されるであろう。ハンガーフラップ３３０はその後脚３３２Ｂと３３２Ｃの間に配置されるようにサポート５に引っかけられるであろう。同様に、この設計は２本脚ハンガーより大きな負荷抵抗性および安全性を提供する。
図９を参照すると、第１実施形態に従ったラベル１００を形成するための装置が略図的に示されている。装置４００は、例えばミズーリ州チェスターフィールド（Chesterfield, Missouri）のマーク・アンディ（Mark Andy）社から入手可能なマーク・アンディ２２００  Ｆｌｅｘｏｐｒｅｓｓが含まれてよい。あるいはまた、回転式活版印刷機、平板印刷機、シルクスクリーンまたはグラビア印刷機が使用されてもよい。
第１に、感圧フィルムまたは紙のウェブ４０４が巻出ステーション４０２から巻き出される。好ましくは、ウェブ４０４は剥離ライナーと感圧接着剤によってその上に付着させられている支持体ウェブを含んでいる。あるいはまた、ベースウェブ４０４は支持体ウェブを剥離ライナーへ密着させる前に線上の支持体ウェブの下側へ接着剤を塗布することによって形成されてもよい。支持体材料および感圧接着剤は、完成ラベル１００のベースラベル１１０および接着剤１０４に相当する。ウェブ４０４は、ウェブの上面に表示１１８が適用される１ヶ所以上の印刷ステーションを通過する。耐アルコール性ワニスがワニス・ステーション４１２で塗布され、硬化ステーション４１４で硬化させられる。剥離ワニス１２０はワニスステーション４１６で塗布され、硬化ステーション４１８で硬化させられる。より詳細には、ワニス塗布ステーション４１６は、足部１４０Ａおよび１４０Ｂに相当する部分を除外するパターンで非粘着区域１１２に相当するベースウェブ４０４の領域にワニスを適用する。
非感圧性支持体４２２のウェブは巻出ステーション４２０から巻き出される。ウェブ４２２はラベル１００のハンガー１３０および足部１４０Ａ、１４０Ｂに相当する。上述のように、ウェブ４２２は好ましくはポリエステルまたはポリプロピレンフィルムから形成される。接着剤アプリケーター４２４がウェブ４２２の下側に接着剤を塗布する。接着剤アプリケーター４２４は、好ましくはアトランタ（Atlanta）のノードソン（Nordson Corporation）社から入手可能であるようなスロット・コーターである。接着剤アプリケーター４２４は、ラベル１００の粘着区域１１２に相当するウェブ４２２の下側上に連続的な縦長の帯を形成する。つまり、接着剤アプリケーター４２４は、ウェブのもう１つの側に隣接する非粘着帯を残しながら、ウェブ４２２の片側の辺縁に沿って接着剤の帯を形成する。ウェブ４２２および４０４はニップ・ローラ４２６で密着させられる。接着剤アプリケーター４２４によって塗布された接着剤はウェブ４２２の下部をウェブ４０４の上面に付着させるのに役立つ。より詳細には、足部１４０Ａおよび１４０Ｂに相当するウェブ４２２の部分は、ベースウェブ４０４の剥離ワニス非塗布部分に永久的に固定されている。ウェブ４２２の下面上の接着剤の残りはベースウェブ４０４の剥離ワニス塗布部分に剥離可能に固定されている。
その後、カッター４３０がハンガー１３０と足部１４０Ａ、１４０Ｂを限定するウェブ４２２の切れ目をベースウェブ４０４まで形成する。ハンガー１３０と足部１４０Ａ、１４０Ｂの内側にはないウェブ４２２の部分とその上の接着剤からなる上廃材４３２は巻上ステーション４３４によって引き剥がされる。剥離ワニス１２０は、ウェブ４２２の下面上の接着剤がベースウェブ４０４から剥離されて廃材と一緒に取り除かれるのを許容する。注目すべきことに、剥離ワニスが被覆された間隙１１５は足部の下方の廃材の連続部分を脚１４０Ａと１４０Ｂの間で限定された廃材の部分（つまり、上になっている内側領域１１７）へ連結する。この方法で、ハンガー１３０および足部１４０Ａ、１４０Ｂの外側のウェブ４２２の全廃材を連続片として取り除くことができ、それによって連続的除去が可能になる。
その後、ベースラベル１１０が剥離ライナー１０２までベースウェブ４０４を通しての打ち抜きを形成するカッター４４０によって形成される。ベースウェブ４０４の廃材４４２は巻取ステーション４４４によって取り除かれる。結果として生じる剥離ライナー１０２上に配置されたラベル１００はその後、巻取ステーション４４６で巻き取られる、またはシート成形されて積み重ねられる。
図９に関して考察したような方法および装置が２本、３本、４本以上の脚を有するラベルを形成するために使用できることは理解されるであろう。従って、第２実施形態に従ったラベル２００、第３実施形態に従ったラベル２５０、第４実施形態に従ったラベル２９０、および第５実施形態に従ったラベル３００のハンガーおよび足部形状がその他の点では第１実施形態のラベル１００に関して述べたのと同様のラベルに組み込まれてよい。
一部の場合には、剥離ワニスの使用をなしで済ますことも実行可能である。これは接着剤が硬化するための十分な時間が与えられない、従ってベースウェブに永久的に付着させられる前に剥ぎ取ることのできる場合に可能である。
次に図１０を参照すると、その中には本発明の第２方法に従ったラベルを形成するための装置５００が示されている。ラベル２００、２５０、２９０および３００は第２方法に従って形成されてもよく、さらに第１実施形態のラベル１００におけると同様のハンガーおよび足部形状を有するラベルが同様に第２方法を用いて形成されてもよい。第１に、ベースウェブ４０４に相当するベースウェブ５０４が巻出ステーション５０２から巻き出される。適切な表示が１以上の印刷ステーション５１０によってベースウェブ５０４の上面に印刷される。その後、保護ワニスがワニス塗布ステーション５１２で塗布され、硬化ステーション５１４で硬化させられる。
第２方法では、第１方法の装置４００のスロット・コーターが接着剤スクリーン印刷機５２４に取り換えられる。スクリーン印刷機は望み通りの形状および大きさで限定されたパターンの接着剤を置くことができる。適切なスクリーン印刷機はノードソン社から入手可能である。図１０に示されているようなスクリーン印刷機５２４は、足部２４０Ａ、２４０Ｂおよび２４０Ｃの下の粘着パッチに相当する形状および場所でベースウェブ５０４の上面上にあるパターンの接着剤を塗布する。あるいはまた、接着剤スクリーン印刷機は、同一の相対する場所でウェブ５２２の下側へ同一パターンの接着剤を塗布するために使用することもできよう。どちらの場合においても、ウェブ４２２に相当するウェブ５２２は巻出ステーション５２０から巻き出され、ニップ・ローラ５２６によってベースウェブ５０４と密着させられる。第１方法と同様に、ダイカッター５３０がハンガー２３０と足部２４０Ａ、２４０Ｂおよび２４０Ｃを限定する打ち抜きを形成する。ウェブ５２２の廃材５３２は巻取ステーション５３４によって取り除かれる。注目すべきことに、足部２４０Ａ、２４０Ｂおよび２４０Ｃの下を除いて接着剤がないので、廃材５３２は容易に持ち上がる。同様に、ハンガー内で限定された上ウェブの領域を連結している各足部間に間隙が備えられているので、廃材５３２は連続的ウェブとして持ち上がる。ハンガー２３０および足部が上記のように形成された後に、ダイカッター５４０がベースラベル２１０を限定するためにベースウェブ５０４において剥離ライナー２０２までの切り目を形成する。ベースウェブ５０４の廃材は巻取ステーション５４４によって取り除かれ、結果として生じたラベルは巻取ステーション５４６によってロール状に巻き取られるか、またはシート成形されて積み重ねられてよい。
図１１を参照すると、第２実施形態に従ったラベル２００、第３実施形態に従ったラベル２５０、第４実施形態に従ったラベル２９０、または第５実施形態に従ったラベル３００を形成するための装置６００が示されており、ハンガーおよび足部の形状は同様に第１、第２、第３または第４実施形態のいずれかについて記載されたものと同様である。要素６０２、６０４、６１０、６１２、６１４および６２４は装置５００の要素５０２、５０４、５１０、５１２、５１４および５２４に各々相当しており、同一機能を実施する。しかし、第２方法は２つのウェブを密着させることを必要とするが、第３方法ではハンガーおよび足部が前成形されてベースウェブ６０４の上面に個別に適用される。より詳細には、ハンガーおよび足部は、足部が接着剤スクリーン印刷機６２４によって置かれた粘着パッチに接し、それによってベースウェブ６０４に永久的に付着させられるように適用される。その後、要素５４０、５４２、５４４および５４６に各々相当する要素６４０、６４２、６４４および６４６は第２方法に関して記載されたのと同一の機能を実行する。
ハンガーおよび足部の張り付け方をより詳細に見てみると、ハンガー／足部アプリケーター６３０はどのような適切な装置または機構であってもよい。適切な機械はミネアポリス（Minneapolis）のＭＧＳ機械（MGS Machine）社から入手可能である。あるいはまた、個々のハンガー／足部を手作業で張り付けてもよい。
上記の方法の代替法として、接着剤はベースウェブの上面へ適用する前に前成形されたハンガー／足部の足部の下側に適用してもよい。この場合には、接着剤スクリーン印刷機６２４は必要とされない。
図１２を参照すると、第４方法に従ったラベル８００を形成するための装置７００がその中に示されている。ラベル８００は、ハンガーの下面に効力を低下させた接着剤が塗布されている点でのみラベル１００、２００、２５０、２９０および３００と相違している。装置７００の要素７０２、７０４、７１０、７１２、７１４、７１６および７１８は装置４００の要素４０２、４０４、４１０、４１２、４１４、４１６および４１８に各々相当しており、同一方法で同一機能を実行する。ウェブ７２２は、感圧接着剤がその下面に全体的に塗布されている点でウェブ４２２と相違している。自己接着性ウェブ７２２が剥離ライナー上に最初に配置される場合は、剥離ライナーが取り除かれる。ウェブ７２２は巻出ステーション７２０から巻き出される。粘着低下剤アプリケーター７２４は、ラベル１００の非粘着区域１１４に相当する帯状のウェブに粘着低下剤を適用する。この目的に適切な粘着低下剤には、イリノイ州フランクリンパーク（Franklin Park, Illinois）のＫ＆Ｗプリンティング社からの製品番号ＦＭ１５１２が含まれる。その後、装置４００の要素４３０、４３２、４３４、４４０、４４２、４４４および４４６各々に相当する要素７３０、７３２、７３４、７４０、７４２、７４４および７４６が図８および第１方法に関して考察したのと同一方法で同一機能を実行する。
上記のハンガーおよび足部形状のいずれかを組み込んでいるラベルが上記の方法のいずれかを用いて形成され得ることは理解されるであろう。さらに、２本以上の脚がラベル３００に関して示されているように単一の足部に固定されてもよい。例えば、本発明に従った一定のラベルの全ての脚がラベルの縦方向の下辺に沿って伸びている単一連続ストリップに固定されてよい。この場合には、足部間の間隙が排除されるであろう。しかし、間隙が排除されるとハンガーの内側に限定されるアッパーウェブの部分を取り除くために他の備えが用意されなければならない。またはさもなければこの部分が完成ラベルに残るであろう。
上記のようなラベルの各々はウェブ上で「複合的に」製造されてよい。つまり、複数のラベルが相当に幅広のウェブを横切って形成され、それらはその後個々のウェブに断裁されてよい。
ハンガーの上面または下面のどちらかに印刷がされてよい。好ましくは、ハンガー材料は透明である。この方法では、ハンガーに印刷されていない場合は、保管位置または作動位置のいずれにおいてもハンガーの場所に関係なくベースラベルに印刷がされてよい。
上記のラベルの各々の設計が吊り下げ位置へハンガーを持ち上げるために最終使用者がハンガーをつかむのを容易にすることが理解されるであろう。ハンガーは大きなフィルム片で取り囲まれていないまたは形成されていない前限定された辺縁を有しているので、使用者はハンガーの縁の下に爪が挟まるまで各ベースラベルの上面に沿って爪を単純に滑らせることによってハンガーの下側に接近することができる。特に、この開口方法を許容するためにプルタブが形成されており、ベースラベルのタブはハンガーのプルタブの縁を越えたあたりへ伸びている境界を有している。
図１３および１４を参照すると、その中には同様に持ち上げるために備えられた代替プルタブ形状が示されている。このプルタブ設計は、下記の説明を読むことによって当業者には理解されるような製造プロセスに適切な変更を加えて、上記のプルタブの全ての代わりに使用されてよい。
剥離ライナー１００２上に配置されたラベル１０００は第１実施形態のプルタブ１３６に相当するプルタブ１０３６を備えたハンガー１０３０を有している。図１４から最もよく明らかになるように、タブ１０３６を越えて伸びている辺縁を有するタブ１０３６の下にあるベースタブがあるのではなく、ベースタブ１０１６はベースラベル１０１０の上辺１０１７を越えて伸びているプルタブ１０３６の部分と同一の広がりを有している。ベースタブ１０１６は切り目１０１０Ａによってベースラベル１０１０の残りから離れており、感圧接着剤１０１４によってプルタブ１０３６の下側に付着させられている。ベースタブ１０１６の下側には粘着低下剤またはワニス１０１２によって効果が弱められた感圧接着剤１００４Ａが塗布されている。適切な粘着低下剤およびワニスには、ニュージャージー州リビングストン（Livingston,New Jersey）のラドキュア（Radcure Corporation）社から入手できるラドキュア８００が含まれる。好ましくは、「持ち上げる（Life）」のような適切な表示がベースラベル１０１６の上面に印刷され、プルタブ１０３６を通して目で見ることができる。
前述から、ラベル１０００は他の実施形態に関して記載されたのと同一方法で剥離ライナーから取り外すことができ、効果の低下した接着剤１００４Ａがライナーから容易に離れることは理解されるであろう。ラベルがいったん接着剤１００４によって望み通りに容器に貼付させられると、効果の低下した接着剤１００４Ａは容器との結合を形成していないので、タブ１０３６はハンガー１０３０を使用するために持ち上げることができる。プルタブ１０３６の辺縁は固定されておらず、フィルムその他の層によって取り囲まれていないので、使用者が持ち上げるためにプルタブ１０３６に容易に接近できることは理解されるであろう。特に、プルタブ１０３６に固定された、およびさもなければラベルおよび容器から自由なベースタブ１０１６は、プルタブ１０３６にさらにいっそう容易に接近できるように容器の表面からいくらかの間隔を空けさせている。
上記のラベルのどれもすぐ上で記載したようなプルタブ構造を有して形成されてよい。方法および装置は下記の方法で変更されるであろう。上ウェブまたは前成形されたハンガー／足部をベースウェブに適用する前に、ベースウェブの支持体は剥離ライナー１００２から引き剥がされ、粘着低下剤１０１２がプルタブ１０３６に相当する場所で支持体の下側上の接着剤に適用される。粘着低下剤は最終的に形成されるラベルの上辺１０１７に相当する下辺に連続的な縦に長いストリップとして適用されてよい。支持体はその後剥離ライナーに再ラミネート加工させられる。接着剤１０１４はプルタブ１０３６に相当する場所で感圧接着剤を適用することによって、またはそうした接着剤を有している上ウェブを備えることによって備えられる。接着剤は、最終的に形成されるラベルの上辺１０１７またはその上方に配置される下辺に連続的な縦に長いストリップとして適用されてよい。あるいはまた、接着剤は選択的に適用されてよい。また別の代替法として、ウェブには接着剤が前被覆され、粘着低下剤が辺１０１７に相当する線の下方のウェブに適用されてよい。さらにまた別の代替法として、接着剤はプルタブ１０３６に相当する場所でベースウェブの表面上にストリップとして、または選択的に適用されてもよい。接着剤が適用された後、上ウェブは下ウェブと密着させられる、または前成形されたハンガー／足部が上記のように下ウェブに適用させられる。以前に断裁作業について述べたことに加えて、少なくとも切れ目１０１０Ａを形成するため、および好ましくは接着剤１０１４、ベースタブ１０１６、接着剤１００４Ａおよび粘着低下剤１０１２の辺縁を限定するために下ダイカッターが使用される。そのようにして、下ダイカッターはまた、剥離ライナーにおいて切り目１００２Aを形成する。下ダイカッターはさらに、プルタブ１０３６の周囲を限定するために、上ウェブまたは前成形されたハンガー／足部の（だが切り目１０１０Ａの上に重なる領域ではなく）一部を通して上向きに断裁されてよい。適切な下ダイカッターは、技術において周知であり、ミズーリ州ユーレカ（Eureka, Missouri）のロトメトリック（Rotometric）社から入手できる。形成プロセスの残りは、本発明の別の実施形態に関して記載されたものと同様である。
図１５を参照すると、その中で第２取り外し可能なラベル９５０を有する第６実施形態に従ったラベル９００が示されている。下記から、上記のラベル設計のいずれかをこの特徴を含むように変更できることが理解されるであろう。
ラベル９００は、感圧接着剤９０４によって剥離ライナー９０２に剥離可能に固定されている。中間支持体層９０６には、その下面には接着剤９０４が、その上面には感圧接着剤９０８が塗布されている。ベース支持体層９１０は接着剤９０８によって中間層９０６の上面に貼付されている。層９０４、９０６、９０８および９１０は一緒になってベースラベル９１１を形成している。ハンガー９３０はベース層９１０の上面に取り付けられている。第２ラベル９５０は、ベース層９１０に形成されて中間層９０６の上面まで断裁されている切り目９５８によって限定されている。ラベル９５０の下にある中間層９０６の上面にはワニス９５２が塗布されている。適切なワニスには、スコットランドのボックスバーン（Boxburn, Scotland）のパラゴン（Paragon）社から入手できる製品番号Ｌ０７５が含まれる。中間層９０６の上面の残りは、ベース層９１０の上に重なっている部分が接着剤９０８によってそれに永久的に固定されているように実質的にワニスで被覆されていない。
第２ラベル９５０の各々は支持体層９５６（つまり、切れ目９５８内で限定されているベースラベル９１０の部分）および感圧接着剤層９５４（つまり、支持体層９５６の下にある接着剤層９０８の部分）を含んでいる。使用時には、ラベル９００は接着剤９０４によって望み通りの容器に最初に貼付されてよい。その後、使用者は１以上の第２ラベル９５０を取り外し、患者カルテのような別の物体に接着剤９５４によって再添付してよい。第２ラベル９５０には容器内の製品に関する情報を示す表示９５３が備えられている。この方法を用いると、容器内に包装されている製品の使用法および特徴を便宜的かつ正確に追跡することができる。
図１６を参照すると、ラベル９００は装置９７０を用いる下記の追加の工程を用いて上記の方法のいずれかに従って形成することができる。第１感圧ウェブ９７４は巻出ステーション９７２から巻き出される。第１ウェブ９７４は剥離ライナー９０２を含んでいる。ワニス９５２に相当するワニスは、ワニス適用ステーション９７６で第１ウェブ９７４の上面に適用され、その後必要なら硬化させることができる。その後、ベース層９１０および接着剤９０８に相当する第２ウェブ９８０が巻出ステーション９７８から巻き出され、ニップ・ローラ９８２によって第１ウェブ９７４（剥離ライナー９０２を含んでいる）に密着させられ、それによって複合ウェブ９８６が形成される。表示９５３は印刷ステーション９８４でウェブ９８６の上面に印刷される。印刷ステーション９８４はベースラベル９１０の上面上に他の表示を印刷するために使用するのと同一の印刷ステーションであってよい。断裁ステーション９８８は下ウェブ９７４の上面まで上ウェブ９８０を切り下げる切り目９５８を形成する。断裁ステーション９８８は、（もしあれば）ハンガー９３０および足部を形成するために使用されるダイカッター、またはベースラベル９１１を形成するために使用されるダイカッターと一緒に組み合わされてもよい。あるいはまた、ダイカットステーション９８８が個別のダイカッターであってもよい。
図１７を参照すると、剥離ライナー１１０２上に配置されている第７実施形態に従ったラベル１１００がその中に示されている。ラベル１１００は、ラベル１１００が取り外し可能な第２ラベル１１５０を含んでいる点で第６実施形態に従ったラベル９００と類似している。しかし、第２ラベル１１５０の形状は相違しており、さらに、ラベル１１００のベースラベル１１１１は下記の説明から理解されるように「単一層」である。
ラベル１１００の構造を詳細に見てみると、ラベル１１００は足部によってその上面に固定されたハンガー１１３０を有するベースラベル１１１１を含んでいる。ハンガーおよび足部は、上記の実施形態のいずれかについて考察されたような形状にされてベースラベルに固定されていてよい。ベースラベル１１１１は、感圧接着剤１１０４がその裏面に塗布されているベース支持体層１１１０を含んでいる。孔線１１５８が、剥離ライナー１１０２までベース層１１１０と接着剤層１１０４を抜けて形成されている。孔線１１５８はそれらの間の第２ラベル１１５０とベースラベルの端部縁に隣接する辺縁部１１１０Ａを限定している。注目すべきことに、孔線１１５８はつなぎまたはブリッジ１１５８Ａを含んでいる。好ましくは、孔線１１５８の切り目は長さ約０．２５インチで、つなぎ１１５８Ａは長さ約１／３２インチずつである。各第２ラベル１１５０はベース層１１１０の一部を形成する支持体層１１５６を含んでおり、その下面には１１５４と表示された接着剤１１０４の一部が塗布されている。第２ラベル１１５０はその上に印刷された表示１１５３を有している。
接着剤１１５４の下面には粘着低下剤１１５２がパターン塗布されている。適切な粘着低下剤には、上記のようなラドキュア８００が含まれる。接着剤１１５４は活性化または粘着性接着剤の低下した部分が露出するように粘着低下剤がパターン塗布されている。接着剤低下剤のパターンは意図される適用に対して選択的に選ばれてよい。例えば、ストライプ、チェック、または拡散性パターンが使用されてよい。プルタブ１１５９の下面上の接着剤には好ましくは粘着低下剤が十分に塗布される。
使用時に、ラベル１１００は自動アプリケーション装置のような従来型方法を用いて適切な容器に適用されてよい。。ラベルは剥離ライナーから剥がされて容器に適用されるので、つなぎ１１５８Ａはラベルを一緒に保持するために役立つ。容器にいったん適用されると、第２ラベル１１５０を除くベース層１１１０の全部（辺縁部分１１１０Ａを含めて）は接着剤１１０４によって容器に永久的に貼付される。第２ラベル１１５０は剥離可能に容器に固定されており、容器に接触している粘着低下面によって取り外し可能なラベルを引き剥がすことができる。第２ラベルの下の粘着が低下させられ露出する割合、接着剤１１５４の特徴および粘着低下剤の好ましいパターンは意図される適用および意図される基質に依存するであろう。しかし、好ましくは接着剤１１５４の約４０％から６０％に粘着低下剤１１５２が塗布される。第２ラベル１１５０の各々は、完全に粘着低下剤が塗布されていて容器には固定されていないので、それの各プルタブ１１５９をつかむことによって取り外すことができる。一部の適用では、ベース層の上縁までのみ粘着低下剤を十分に塗布することが望ましいかも知れないが、他方別の適用では第２ラベルを使用者が引き剥がすのをより速く始められるように第２ラベル１１５０に沿ってさらに粘着低下剤の完全な塗布を適用するのが望ましい場合がある。第２ラベル１１５０はその後例えば患者のカルテのような他の望ましい物体上に貼付されてよい。露出した接着剤１１５４は新しい基質に第２ラベルを固定するために役立つ。
図１８を参照すると、その中にはラベル１１００を形成するための装置１１７０が示されている。第１に、剥離ライナー１１０２を含む自己接着性支持体１１７４が巻出ステーション１１７２から巻き出される。剥離ライナー１１０２は、適切なローラ装置によって自己接着性支持体１１７６から引き剥がされる。印刷ステーション１１８０が第２ラベル１１５０に相当する場所でウェブ１１７６の接着剤面に粘着低下剤１１５２（図１７参照）を適用する。粘着低下剤印刷ステーション１１８０は好ましくはフレキソ印刷ステーションである。しかし、ステーション１１８０は例えばノードソン（Nordson Corporation）社から入手可能なスロット・コーターまたはスクリーン印刷機のようなあらゆる適切な印刷手段であってよい。硬化ステーション１１８１がその後粘着低下剤１１５２を硬化させる。その後、剥離ライナー１１０２が複合ウェブ１１８４を形成するためにニップ・ローラ１１８３によって支持体１１７６の自己接着性表面に再ラミネート加工される。印刷ステーション１１８５で、表示１１５３がウェブ１１８４の上面に印刷される。印刷ステーション１１８５は、ベース層１１１０上の他の表示を印刷するために使用されるのと同一の印刷ステーションであっても別の印刷ステーションであってもよい。断裁ステーション１１８６は孔線１１５８を形成する。断裁ステーション１１８６はベースラベル１１１１またはハンガー１１３０を形成するために使用されるのと同一のダイカット・ステーションであっても、別のダイカットステーションであってもよい。ラベル１１００を形成するための装置および方法は、その他の点では上記の実施形態のいずれかについて上記で考察されたものと同様である。
図１９を参照すると、剥離ライナー１２０２上に配置された本発明の第８実施形態に従ったラベル１２００の部分図がその中に示されている。ラベル１２００は第２ラベル１２５０が剥離ライナー１２０２および容器または患者カルテのようなあらゆる意図された基質に固定される方法を除いて上記のラベル１１００と実質的に同一である。より詳細には、ラベル１２００は辺縁部分１２１０Ａを含んでいるベース支持体層１２１０を含んでいる。ベース層１２１０は、その下面に感圧接着剤１２０４が塗布されている。ハンガー（図示されていない）は上記のいずれかの方法で足部１２４０によってベース層１２１０の上面に固定されている。各第２ラベル１２５０は、接着剤層１２０４から形成された接着剤１２５４がその下面に塗布されている支持体層１２５６を含んでいる。第２ラベル１１５０の下面上の接着剤には粘着低下剤がパターン塗布されているだけであるが、接着剤１２５４には粘着低下剤１２５２が完全に（即ち、一様に）塗布されている。粘着低下剤１２５２はラドキュア８００であってよい。粘着低下層１２５２の下面は順に接着剤１２５５が塗布されている。接着剤１２５５は好ましくは低粘着性接着剤である。特に、接着剤１２５４は接着剤１２５５より粘着低下剤１２５２に対してより強力な粘着力を有していなければならない。好ましくは、接着剤１２５５は完全に、または容易に除去可能な低粘着性のホットメルト感圧接着剤であり、そうした接着剤は一般に入手可能である。接着剤１２５５のために適切な接着剤には、ウィスコンシン州ウォーワトサ（Wauwatosa, WIsconsin）のフィンドレー・アドヒーシブ（Findley Adhesives, Inc.）社から入手可能な製品番号Ｈ２３５５−０１が含まれる。第２ラベル１２５０は、剥離ライナー１２０２まで伸びている切り目１２５８によって規定されている。
ラベル１２００および第２ラベル１２５０は、ラベル１１００および第２ラベル１１５０に関して上記で記載されたのと実質的に同一方法で使用されてよい。しかし、第２ラベル１１５０を容器から取り外すのを可能にするのは粘着低下剤のパターン塗布であるが、第２ラベル１２５０を容器から引き剥がすのを可能にするのは接着剤１２５５の性質および特徴である。同様に、カルテのような第２基質へ再貼付を可能にするのは第２ラベル１１５０上の粘着低下剤のパターン塗布であるが、第２ラベル１２５０を第２基質へ再貼付するのを可能にするのはやはり接着剤１２５５の性質および特徴である。
図２０を参照すると、ラベル１２００を形成するための装置１２７０がその中に示されている。剥離ライナー１２０２の上に配置された自己接着性支持体１２７４が巻出ステーション１２７２から巻き出される。剥離ライナー１２０２は自己接着性支持体１２７６から引き剥がされる。粘着低下剤１２５２は、第２ラベル１２５０に相当する場所にウェブ１２７６の接着剤の上に印刷ステーション１２８０で一様に塗布される。粘着低下剤はその後硬化ステーション１２８１で硬化させられる。接着剤１２５５は、硬化した粘着低下剤に印刷ステーション１２８２で適用される。あるいはまた、剥離ライナーが自己接着性支持体に再密着させられるときに第２ラベルの相当する場所で接着剤１２５５が剥離ライナーに適用されてもよい。剥離ライナー１２０２はその後複合ウェブ１２８４を形成するためにニップ・ローラ１２８３によってウェブ１２７６の接着剤表面に再ラミネート加工される。ラベル１１００の表示１１５３に相当する適切な表示（図示されていない）が印刷ステーション１２８５でウェブ１２８４の支持体上に印刷される。印刷ステーション１２８５はベースラベル上に他の表示を印刷するために使用されるのと同一の印刷ステーションであっても、あるいはまた別個の印刷ステーションであってもよい。ダイカッター１２８６が孔線１２５８を形成する。ダイカッター１２８６は、ラベルのベースラベルまたはハンガーを形成するために使用されるのと同一のダイカッターであっても、あるいはまた別個のダイカットステーションであってもよい。ラベル１２００を形成するための装置および方法はその他の点では上記の実施形態のいずれかについて上記で考察したものと同様である。
さらに再び図１９を参照すると、その中に示されているようなラベル１２００は上記とは相違する方法で機能するように変更されてもよい。変更実施形態では、接着剤層１２５４と１２５５とを分離するコーティング剤１２５２は、例えばスコットランドのボックスバーン（Boxburn, Scotland）のパラゴン・インク（Paragon Ink）社からの製品番号Ｌ０７５のような剥離ワニス剤である。上記のような低粘着性接着剤ではない接着剤層１２５５は高粘着性接着剤である。接着剤１２５５のために適した接着剤には、フラー・アドヒーシブ（Fuller Adhesive）社からの製品番号２２０３Ｘホットメルト永久接着剤が含まれる。特に、変更実施形態の接着剤１２５５は接着剤１２５４よりもワニス剤１２５２に対して大きな粘着力を有していなければならない。
変更ラベル１２００が容器に適用されるときには、第２ラベル１２５０は接着剤１２５５によってそれに取り外し可能に固定されている。第２ラベル１２５０がラベルの残りから上向きに引っ張られると、接着剤１２５４はワニス剤１２５２から分離する。接着剤層１２５５およびワニス剤１２５４は容器に残るであろう。これは、接着剤１２５５と容器の間の付着力および接着剤１２５５とワニス剤１２５４の間の付着力が接着剤１２５４とワニス剤１２５２との間の付着力より大きいためである。第２ラベル１２５０をいったん取り外すとその下側には露出した接着剤１２５４が現れ、それによって患者のカルテのような別の基質に固定することができるであろう。
つい先程述べた変更ラベル１２００が最初に述べたラベル１２００に関して記載したのと同一方法に従って同一装置を使用して形成できることは理解されるであろう。方法および装置に対して行う必要のある唯一の変更は、低粘着性接着剤を高粘着性接着剤に置換することおよび粘着低下剤を剥離ワニスに置換することであろう。
本発明の好ましい実施形態を述べてきたが、当業者であれば本発明の範囲から離れることなく一定の変更を行うことができることは理解されるであろう。例えば、上記の設計のいずれかのハンガーの上縁がラベルの上辺と交差していてもよい。全てのそうした変更は下記の請求の範囲内に含まれることが意図されている。
【図１】
0003979672.tif 000002
【図２】
0003979672.tif 000003
【図３】
0003979672.tif 000004
【図４】
0003979672.tif 000005
【図５】
0003979672.tif 000006
【図６】
0003979672.tif 000007
【図７】
0003979672.tif 000008
【図８】
0003979672.tif 000009
【図９】
0003979672.tif 000010
【図１０】
0003979672.tif 000011
【図１１】
0003979672.tif 000012
【図１２】
0003979672.tif 000013
【図１３】
0003979672.tif 000014
【図１４】
0003979672.tif 000015
【図１５】
0003979672.tif 000016
【図１６】
0003979672.tif 000017
【図１７】
0003979672.tif 000018
【図１８】
0003979672.tif 000019
【図１９】
0003979672.tif 000020
【図２０】
0003979672.tif 000021